【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
図柄を変動表示可能な図柄表示手段と、
前記図柄表示手段の変動後の停止図柄が特定態様となった場合に利益状態を発生させる利益状態発生手段とを備え、
所定事象の出現に関する予告演出を実行可能であり、
前記図柄を、数字部とこれに付随する装飾部とで構成した
遊技機において、
一又は複数種類の予告演出の何れかで表示する予告画像を第１予告画像と第２予告画像とで構成し、
前記第１予告画像と前記第２予告画像の表示態様に応じて、前記利益状態が発生する期待度が異なり、
前記第１予告画像の優先順位を前記図柄よりも高く、前記第２予告画像の優先順位を前記図柄よりも低くし、
前記図柄と前記予告画像とを、優先順位の高い画像が低い画像よりも所定方向の前側となるように表示可能とし、
前記図柄の変動中は前記第１予告画像と前記第２予告画像とを前記図柄の前後で共に表示させ、
前記図柄が停止表示されるときには、前記図柄より前側の前記第１予告画像を、前記装飾部には重なるが前記数字部には重ならないように表示させる
ことを特徴とする遊技機。
【請求項２】
図柄を変動表示可能な図柄表示手段と、
前記図柄表示手段の変動後の停止図柄が特定態様となった場合に利益状態を発生させる利益状態発生手段とを備え、
所定事象の出現に関する予告演出を実行可能であり、
前記図柄を、数字部とこれに付随する装飾部とで構成した
遊技機において、
一又は複数種類の予告演出の何れかで表示する予告画像を複数の第１予告画像と第２予告画像とで構成し、
前記第１予告画像の優先順位を前記図柄よりも高く、前記第２予告画像の優先順位を前記図柄よりも低くし、
前記図柄と前記予告画像とを、優先順位の高い画像が低い画像よりも所定方向の前側となるように表示可能とし、
前記図柄の変動中は前記第１予告画像と前記第２予告画像とを前記図柄の前後で共に表示させ、
前記図柄が停止表示されるときには、前記図柄より前側の前記複数の第１予告画像を、前記装飾部には重なるが前記数字部には重ならないように表示させる
ことを特徴とする遊技機。
【請求項３】
図柄を変動表示可能な図柄表示手段と、
前記図柄表示手段の変動後の停止図柄が特定態様となった場合に利益状態を発生させる利益状態発生手段とを備え、
所定事象の出現に関する予告演出を実行可能であり、
前記図柄を、数字部とこれに付随する装飾部とで構成した
遊技機において、
一又は複数種類の予告演出の何れかで表示する予告画像を第１予告画像と第２予告画像とで構成し、
前記第１予告画像の優先順位を前記図柄よりも高く、前記第２予告画像の優先順位を前記図柄よりも低くし、
前記図柄と前記予告画像とを、優先順位の高い画像が低い画像よりも所定方向の前側となるように表示可能とし、
前記図柄の変動中は前記第１予告画像と前記第２予告画像とを前記図柄の前後で共に動的表示させ、
前記図柄が停止表示されるときには、前記図柄より前側の前記第１予告画像を、前記装飾部には重なるが前記数字部には重ならないように停止表示させる
ことを特徴とする遊技機。
【請求項４】
前記第１予告画像の表示数を異ならせて表示可能であり、
前記図柄が停止表示されるときには、前記図柄より前側の前記第１予告画像を、当該第１予告画像の表示数が最も多い場合であっても、前記装飾部には重なるが前記数字部には重ならないように表示させる
ことを特徴とする請求項１〜３の何れかに記載の遊技機。
【請求項５】
異なる表示態様の前記第１予告画像を表示可能であり、
前記第１予告画像の表示態様により前記利益状態が発生する期待度が異なり、
前記図柄が停止表示されるときには、前記図柄より前側の前記第１予告画像を、当該第１予告画像の表示態様にかかわらず、前記装飾部には重なるが前記数字部には重ならないように表示させる
ことを特徴とする請求項１〜３の何れかに記載の遊技機。
【手続補正２】
【補正対象書類名】明細書
【補正対象項目名】０００２
【補正方法】変更
【補正の内容】
【０００２】
パチンコ機等の遊技機では、図柄、予告画像、背景画像等は夫々異なるレイヤに配置され、それらを所定の優先順位に従って重畳することにより画像表示手段に表示されるようになっている（例えば特許文献１）。
【手続補正３】
【補正対象書類名】明細書
【補正対象項目名】０００３
【補正方法】変更
【補正の内容】
【０００３】
【特許文献１】特開２０１４−２３０５８６号公報
【手続補正４】
【補正対象書類名】明細書
【補正対象項目名】０００４
【補正方法】変更
【補正の内容】
【０００４】
本発明は、図柄変動中は予告画像による演出効果を最大限に発揮しつつ、図柄確定時は遊技者に図柄の停止態様を明確に認識させることが可能な遊技機を提供することを目的とする。
【手続補正５】
【補正対象書類名】明細書
【補正対象項目名】０００５
【補正方法】変更
【補正の内容】
【０００５】
第１の本発明は、図柄を変動表示可能な図柄表示手段と、前記図柄表示手段の変動後の停止図柄が特定態様となった場合に利益状態を発生させる利益状態発生手段とを備え、所定事象の出現に関する予告演出を実行可能であり、前記図柄を、数字部とこれに付随する装飾部とで構成した遊技機において、一又は複数種類の予告演出の何れかで表示する予告画像を第１予告画像と第２予告画像とで構成し、前記第１予告画像と前記第２予告画像の表示態様に応じて、前記利益状態が発生する期待度が異なり、前記第１予告画像の優先順位を前記図柄よりも高く、前記第２予告画像の優先順位を前記図柄よりも低くし、前記図柄と前記予告画像とを、優先順位の高い画像が低い画像よりも所定方向の前側となるように表示可能とし、前記図柄の変動中は前記第１予告画像と前記第２予告画像とを前記図柄の前後で共に表示させ、前記図柄が停止表示されるときには、前記図柄より前側の前記第１予告画像を、前記装飾部には重なるが前記数字部には重ならないように表示させるものである。
第２の本発明は、図柄を変動表示可能な図柄表示手段と、前記図柄表示手段の変動後の停止図柄が特定態様となった場合に利益状態を発生させる利益状態発生手段とを備え、所定事象の出現に関する予告演出を実行可能であり、前記図柄を、数字部とこれに付随する装飾部とで構成した遊技機において、一又は複数種類の予告演出の何れかで表示する予告画像を複数の第１予告画像と第２予告画像とで構成し、前記第１予告画像の優先順位を前記図柄よりも高く、前記第２予告画像の優先順位を前記図柄よりも低くし、前記図柄と前記予告画像とを、優先順位の高い画像が低い画像よりも所定方向の前側となるように表示可能とし、前記図柄の変動中は前記第１予告画像と前記第２予告画像とを前記図柄の前後で共に表示させ、前記図柄が停止表示されるときには、前記図柄より前側の前記複数の第１予告画像を、前記装飾部には重なるが前記数字部には重ならないように表示させるものである。
第３の発明は、図柄を変動表示可能な図柄表示手段と、前記図柄表示手段の変動後の停止図柄が特定態様となった場合に利益状態を発生させる利益状態発生手段とを備え、所定事象の出現に関する予告演出を実行可能であり、前記図柄を、数字部とこれに付随する装飾部とで構成した遊技機において、一又は複数種類の予告演出の何れかで表示する予告画像を第１予告画像と第２予告画像とで構成し、前記第１予告画像の優先順位を前記図柄よりも高く、前記第２予告画像の優先順位を前記図柄よりも低くし、前記図柄と前記予告画像とを、優先順位の高い画像が低い画像よりも所定方向の前側となるように表示可能とし、
前記図柄の変動中は前記第１予告画像と前記第２予告画像とを前記図柄の前後で共に動的表示させ、前記図柄が停止表示されるときには、前記図柄より前側の前記第１予告画像を、前記装飾部には重なるが前記数字部には重ならないように停止表示させるものである。
また第１〜第３の発明において、前記第１予告画像の表示数を異ならせて表示可能であり、前記図柄が停止表示されるときには、前記図柄より前側の前記第１予告画像を、当該第１予告画像の表示数が最も多い場合であっても、前記装飾部には重なるが前記数字部には重ならないように表示させてもよい。
また第１〜第３の発明において、異なる表示態様の前記第１予告画像を表示可能であり、前記第１予告画像の表示態様により前記利益状態が発生する期待度が異なり、前記図柄が停止表示されるときには、前記図柄より前側の前記第１予告画像を、当該第１予告画像の表示態様にかかわらず、前記装飾部には重なるが前記数字部には重ならないように表示させてもよい。
【手続補正６】
【補正対象書類名】明細書
【補正対象項目名】０００６
【補正方法】変更
【補正の内容】
【０００６】
本発明によれば、図柄変動中は予告画像による演出効果を最大限に発揮しつつ、図柄確定時は遊技者に図柄の停止態様を明確に認識させることが可能である。